(57)【要約】【課題】光源ユニットの光透過性カバーを取り外しにくくする。【解決手段】光源ユニットにおいて、固定カバー４４０には、光源モジュール４１０からの光を通すための開口部４４２が設けられている。固定カバー４４０は、光源モジュール４１０がある側と反対側に立ち上がるリブ４９２を有する。リブ４９２は、開口部４４２の周縁に沿って形成されている。光透過性カバー４７０は、固定カバー４４０のリブ４９２に囲まれ固定カバー４４０の開口部４４２を覆っている状態で固定カバー４４０に固定されている。【選択図】図１８
2017076495.tif 000002
【特許請求の範囲】
【請求項１】
光を照射する光源モジュールと、
前記光源モジュールがある側と反対側に立ち上がるリブを有するとともに、前記光源モジュールからの光を通すための開口部が設けられ、前記リブが前記開口部の周縁に沿って形成された固定カバーと、
前記リブに囲まれ前記開口部を覆っている状態で前記固定カバーに固定された光透過性カバーと
を備える光源ユニット。
【請求項２】
前記リブの内周壁は、前記光透過性カバーの外周壁よりも高さ寸法が大きい請求項１に記載の光源ユニット。
【請求項３】
前記光透過性カバーは、前記光透過性カバーの外周に沿って形成され、前記リブの立ち上がりの先端よりも低い位置まで立ち上がる他のリブを有する請求項１又は２に記載の光源ユニット。
【請求項４】
前記固定カバーの前記開口部の周囲には、複数の穴が設けられ、
前記光透過性カバーは、複数の爪部を有し、前記複数の爪部が前記複数の穴に引っ掛けられることで前記固定カバーに固定されている請求項３に記載の光源ユニット。
【請求項５】
前記複数の爪部は、前記光透過性カバーの中心を挟んで互いに対向する位置に設けられている請求項４に記載の光源ユニット。
【請求項６】
請求項１から５のいずれか１項に記載の光源ユニットと、
前記光源モジュールに電力を供給する電源ユニットと
を備える照明装置。
【発明の詳細な説明】
【技術分野】
【０００１】
本発明は、光源ユニット及び照明装置に関するものである。
【背景技術】
【０００２】
従来、ＬＥＤ素子及び点灯回路の電子部品が実装されたＬＥＤユニット基板と、ＬＥＤユニット基板を支持する基板支持部材とを筐体内に有するＬＥＤランプ本体を備える照明装置がある（例えば、特許文献１参照）。
【先行技術文献】
【特許文献】
【０００３】
【特許文献１】特開２０１５−６４９４７号公報
【発明の概要】
【発明が解決しようとする課題】
【０００４】
特許文献１に記載の照明装置では、ＬＥＤユニット基板に実装されている点灯回路の電子部品を覆い隠すための電源部遮蔽部材に透光カバーが嵌められているが、透光カバーに衝撃が加わると、透光カバーの中央部分が凹み、割れ等が生じるおそれがある。即ち、透光カバーが衝撃に弱い。
【０００５】
また、特許文献１に記載の照明装置では、透光カバーの外周面の少なくとも一部が電源部遮蔽部材から露出している。そのため、ユーザが、透光カバーの外周面の露出している部分を掴んで透光カバーを容易に取り外すことができ、内部の電装部品に簡単に触れることができてしまう。
【０００６】
本発明は、光源ユニットの光透過性カバーを取り外しにくくすることを目的とする。
【課題を解決するための手段】
【０００７】
本発明の一態様に係る光源ユニットは、
光を照射する光源モジュールと、
前記光源モジュールがある側と反対側に立ち上がるリブを有するとともに、前記光源モジュールからの光を通すための開口部が設けられ、前記リブが前記開口部の周縁に沿って形成された固定カバーと、
前記リブに囲まれ前記開口部を覆っている状態で前記固定カバーに固定された光透過性カバーとを備える。
【発明の効果】
【０００８】
本発明では、光透過性カバーが、固定カバーのリブに囲まれ固定カバーの開口部を覆っている状態で固定カバーに固定されている。このため、本発明によれば、光透過性カバーを取り外しにくくすることができる。
【図面の簡単な説明】
【０００９】
【図１】実施の形態１に係る照明装置の斜視図。
【図２】実施の形態１に係る照明装置の側面図。
【図３】実施の形態１に係る照明装置の平面図。
【図４】実施の形態１に係る照明装置のＡ−Ａ断面図。
【図５】実施の形態１に係る照明装置の分解斜視図。
【図６】実施の形態１に係る照明装置の分解斜視図。
【図７】実施の形態１に係る照明ユニットの斜視図。
【図８】実施の形態１に係る照明ユニットの分解斜視図。
【図９】実施の形態１に係る取り付け補助部材の（ａ）斜視図、（ｂ）別の角度での斜視図。
【図１０】実施の形態１に係る取り付け補助部材の（ａ）平面図、（ｂ）正面図、（ｃ）底面図、（ｄ）Ｂ−Ｂ断面図、（ｅ）Ｃ−Ｃ断面図。
【図１１】実施の形態１に係るバネの（ａ）斜視図、（ｂ）平面図、（ｃ）側面図、（ｄ）背面図。
【図１２】実施の形態１に係る照明ユニットを枠体に取り付ける工程を示す断面図。
【図１３】実施の形態２に係る照明装置のＡ−Ａ断面図。
【図１４】実施の形態２に係る照明ユニットの斜視図。
【図１５】実施の形態２に係る照明ユニットの分解斜視図。
【図１６】実施の形態２に係る照明ユニットを枠体に取り付ける工程を示す断面図。
【図１７】実施の形態３に係る光透過性カバーを固定カバーに取り付ける工程を示す部分拡大断面図。
【図１８】実施の形態３に係る光透過性カバーを固定カバーに取り付ける工程を示す部分拡大断面図。
【図１９】実施の形態４に係る固定カバーの斜視図。
【図２０】実施の形態４に係る光透過性カバーの斜視図。
【図２１】（ａ）実施の形態１に係る光透過性カバーの応力分布を示す図、（ｂ）実施の形態３に係る光透過性カバーの応力分布を示す図、（ｃ）実施の形態４に係る光透過性カバーの応力分布を示す図。
【図２２】光透過性カバーの中央部分の凹み量とリブの高さとボスの有無との関係を示すグラフ。
【発明を実施するための形態】
【００１０】
以下、本発明の実施の形態について、図を用いて説明する。なお、各図中、同一又は相当する部分には、同一符号を付している。実施の形態の説明において、同一又は相当する部分については、その説明を適宜省略又は簡略化する。また、実施の形態の説明において、「上」、「下」、「左」、「右」、「前」、「後」、「表」、「裏」といった配置や向き等は、説明の便宜上、そのように記しているだけであって、装置、器具、部品等の配置や向き等を限定するものではない。装置、器具、部品等の構成について、その材質、形状、大きさ等は、本発明の範囲内で適宜変更することができる。
【００１１】
実施の形態１．
本実施の形態に係る装置の構成、本実施の形態に係る装置の組み立て手順、本実施の形態の効果を順番に説明する。
【００１２】
＊＊＊構成の説明＊＊＊
図１から図１１を参照して、本実施の形態に係る装置である照明装置９００の構成を説明する。
【００１３】
照明装置９００は、埋め込み穴に埋め込まれて使用される。
【００１４】
図１、図２及び図３に示すように、照明装置９００は、枠体１００と、照明ユニット３００とを備える。枠体１００は、埋め込み穴が設けられた天井等の被取り付け部に取り付けられる。照明ユニット３００は、枠体１００に着脱可能に取り付けられる。
【００１５】
図４、図５及び図６に示すように、枠体１００は、ツバ部１１０と、立ち上がり部１２０と、傾斜部１７０とを備える。ツバ部１１０は、被取り付け部に形成される円形の埋め込み穴の縁部に当接する。立ち上がり部１２０は、ツバ部１１０から略垂直方向に立ち上がる。立ち上がり部１２０には、３つの取り付けバネ２００が取り付けられる。また、立ち上がり部１２０には、第１穴１５０及び第２穴１６０が設けられる。傾斜部１７０は、ツバ部１１０の内側に斜め方向に形成され、略中央部に円形状の開口部１７１を有する。
【００１６】
ツバ部１１０は、リング状に形成されている。具体的には、ツバ部１１０は、被取り付け部に設けられた埋め込み穴の径よりも外径が大きく内径が小さくなるように環状に形成されている。
【００１７】
立ち上がり部１２０は、枠部１３０と、３つの取り付けバネ保持部１４０とを有する。枠部１３０は、円周方向に連続して形成される。取り付けバネ保持部１４０は、枠部１３０の外周の３箇所に形成される。枠部１３０の外周の１箇所には、枠部１３０の内周に貫通する第１穴１５０が形成される。枠部１３０の外周の第１穴１５０に対向する箇所の両側には、枠部１３０の内周に貫通する第２穴１６０が１つずつ形成される。
【００１８】
枠部１３０の中心軸を基準とする円周方向において、３つの取り付けバネ保持部１４０のうち、１つの取り付けバネ保持部１４０が形成される位置を０度の位置としたとき、残りの２つの取り付けバネ保持部１４０が形成される位置は、それぞれ１２０度及び２４０度の位置である。第１穴１５０が形成される位置は、１２０度よりも大きく、２４０度よりも小さい角度の位置であり、望ましくは、１８０度の位置である。２つの第２穴１６０のうち、一方の第２穴１６０が形成される位置は、０度よりも大きく、１２０度よりも小さい角度の位置であり、望ましくは、１０度以上３０度以下の角度の位置である。他方の第２穴１６０が形成される位置は、２４０度よりも大きく、３６０度よりも小さい角度の位置であり、望ましくは、３３０度以上３５０度以下の角度の位置である。２つの第２穴１６０が形成される位置は、０度の位置から同じ角度だけ離れていることが望ましい。
【００１９】
上記のように、取り付けバネ保持部１４０は、等間隔に３つ以上設けられることが望ましい。第１穴１５０は、いずれか２つの取り付けバネ保持部１４０の中間に１つ設けられることが望ましい。第２穴１６０は、第１穴１５０と向き合う位置に１つ、或いは、その位置から両側に少しずれた位置に１つずつ設けられることが望ましい。なお、取り付けバネ保持部１４０、第１穴１５０、第２穴１６０の位置及び個数は、適宜変更することができる。具体的には、取り付けバネ保持部１４０は、取り付けバネ保持部１４０に取り付けられる取り付けバネ２００が、後述する電源端子台５４０と干渉しない２つ以上の位置に設けられていればよい。取り付けバネ保持部１４０は、望ましくは、等間隔に２つ以上設けられる。第１穴１５０は、取り付けバネ保持部１４０の位置と重複しない１つ以上の位置に設けられていればよい。第２穴１６０は、取り付けバネ保持部１４０及び第１穴１５０の位置と重複しない１つ以上の位置に設けられていればよい。第１穴１５０及び第２穴１６０が１つずつ設けられる場合、第１穴１５０は、望ましくは、第２穴１６０と対向する位置に設けられる。第１穴１５０が１つ、第２穴１６０が２つ設けられる場合、第１穴１５０は、望ましくは、２つの第２穴１６０の中間位置と対向する位置に設けられる。
【００２０】
取り付けバネ２００は、長手状かつ平板状の金属板が長手方向の少なくとも１箇所で鋭角に折り曲げられて形成される板バネである。取り付けバネ２００の長手方向の一端は、取り付けバネ保持部１４０に取り付けられる。取り付けバネ２００の長手方向の他端は、被取り付け部の埋め込み穴に引っ掛けられるように屈曲している。この屈曲した部分によって、照明装置９００を被取り付け部に仮止めしたり、照明装置９００の落下を防止したりすることができる。
【００２１】
傾斜部１７０は、椀状又は円錐形グラス状に形成される傾斜面１８０を有する。傾斜面１８０は、後述する光源からの光を反射する反射面になっている。
【００２２】
図４、図５、図６、図７及び図８に示すように、照明ユニット３００は、光源ユニット４００と、電源ユニット５００とを備える。
【００２３】
光源ユニット４００は、光源モジュール４１０と、取り付け部材４２０と、取り付け補助部材４３０と、固定カバー４４０と、バネ４５０と、ネジ４６０と、光透過性カバー４７０と、絶縁シート４８０とを備える。
【００２４】
取り付け部材４２０には、光源モジュール４１０が取り付けられる。取り付け補助部材４３０は、取り付け部材４２０への光源モジュール４１０の取り付けを補助する。固定カバー４４０は、取り付け補助部材４３０を固定するとともに、光源モジュール４１０を取り付け部材４２０に固定する。バネ４５０は、外側に突出するように固定カバー４４０に取り付けられる。ネジ４６０は、固定カバー４４０を取り付け部材４２０に締結する。光透過性カバー４７０は、透明又は半透明である。即ち、光透過性カバー４７０は、透光性を有する。光透過性カバー４７０は、固定カバー４４０に取り付けられ、光源モジュール４１０の発光部を覆う。
【００２５】
光源モジュール４１０は、表面実装型（ＳＭＤ）の複数のＬＥＤ４１１と、これら複数のＬＥＤ４１１が実装される基板４１２とを有する。なお、ＬＥＤ４１１は、表面実装型に限らず、チップオンボード（ＣＯＢ）のＬＥＤ等、他の種類のＬＥＤであってもよい。また、ＬＥＤ４１１に代えて、有機ＥＬ又はレーザといった他の種類の光源が用いられてもよい。
【００２６】
取り付け部材４２０は、板状である。取り付け部材４２０は、光源モジュール４１０が取り付けられる光源取り付け部４２１と、光源取り付け部４２１の外郭に形成される突出部４２２とを有する。なお、光源取り付け部４２１の周囲には、固定カバー４４０を締結するためのネジ穴４２３、取り付け補助部材４３０を取り付けるための１対の穴４２４等が形成される。
【００２７】
取り付け部材４２０は、取り付け面４２５を有する。固定カバー４４０は、取り付け面４２５に取り付けられる。後述するように、固定カバー４４０には、開口部４４２が設けられる。光源モジュール４１０は、固定カバー４４０と取り付け部材４２０との間に挟まれた状態で取り付け面４２５の中心を含む領域に固定され、固定カバー４４０の開口部４４２を通して光を照射する。取り付け補助部材４３０は、取り付け面４２５の光源モジュール４１０が固定された領域に隣接する位置に、光源モジュール４１０の位置決めのために設置される。
【００２８】
図９及び図１０に示すように、取り付け補助部材４３０は、弓状に形成された板材であり、一方の面の両端側に形成される取り付け凸部４３１と、他方の面の略中央に形成される固定凸部４３２とを有する。取り付け補助部材４３０は、取り付け部材４２０に取り付けられ、アーチ状に形成された内側面である案内面４３３に光源モジュール４１０を当接させることで、光源モジュール４１０が取り付け部材４２０の決まった位置に取り付けられるように光源モジュール４１０の取り付けをガイドする。
【００２９】
取り付け補助部材４３０は、さらに、固定凸部４３２が形成される面と同じ面から立ち上がって途中で折り返すように形成される第１凸部４３４を有する。第１凸部４３４は、バネ性を有する。第１凸部４３４は、具体的には、Ｕ字状に形成される弾性部４３５と、弾性部４３５の先端付近に形成され、第１穴１５０に引っ掛けられる係止凸部４３６とを有する。第１凸部４３４は、いわゆるスナップフィットと呼ばれる構造であり、弾性部４３５の弾性力によって係止凸部４３６が第１穴１５０に挿入された状態を保つことで、照明ユニット３００を枠体１００に固定する。
【００３０】
取り付け補助部材４３０の案内面４３３は、取り付け面４２５に対して垂直に延びて光源モジュール４１０の側面の一部に接することで、取り付け面４２５への光源モジュール４１０の取り付けを案内する。これにより、取り付け面４２５における光源モジュール４１０の位置決めが行われる。本実施の形態において、光源モジュール４１０の側面の一部は、外側に膨らんだ形状である。案内面４３３は、この光源モジュール４１０の側面の外側に膨らんだ形状に合わせて内側に凹んでいる。そのため、光源モジュール４１０を取り付け面４２５へ取り付ける作業がスムーズに行える。
【００３１】
取り付け面４２５には、前述した１対の穴４２４が設けられる。取り付け補助部材４３０の１対の取り付け凸部４３１が、これら１対の穴４２４に嵌ることで、取り付け補助部材４３０が取り付け面４２５に固定される。
【００３２】
固定カバー４４０の取り付け面４２５に対向する対向面４４６には、溝４４７が設けられる。取り付け補助部材４３０の固定凸部４３２が、この溝４４７に嵌ることで、取り付け補助部材４３０が対向面４４６に固定される。なお、溝４４７の代わりに、穴が設けられてもよい。
【００３３】
固定カバー４４０の側面には、切り欠き４４８が設けられる。取り付け補助部材４３０は、一部が固定カバー４４０の側面の切り欠き４４８から外側に露出する。取り付け補助部材４３０の第１凸部４３４は、取り付け補助部材４３０の外側に露出した部分に配置される。
【００３４】
固定カバー４４０は、略中央が円形状に開口したカバー本体部４４１と、カバー本体部４４１の開口部４４２の周縁部から立設するように形成される内壁部４４３と、カバー本体部４４１の外周部から立設するように形成される外壁部４４４とを有する。固定カバー４４０は、さらに、外壁部４４４の一部が凹んで形成され、１対のバネ４５０が取り付けられる１対のバネ取り付け部４４５を有する。
【００３５】
固定カバー４４０の対向面４４６と反対側の面には、３つの凸部４４９が設けられる。２つの凸部４４９は、バネ取り付け部４４５の端部を囲み、残りの１つの凸部４４９は、溝４４７の端縁部を囲む。照明ユニット３００が机上等に置かれる際には、これらの凸部４４９が机上面等に接し、光透過性カバー４７０が机上面等に接して傷付くことを防止する。
【００３６】
図１１に示すように、バネ４５０は、長手状かつ平板状の金属板が長手方向の複数箇所で折り曲げられて形成される板バネである。バネ４５０は、コ字状に屈曲させて形成されたコ字状部４５１と、コ字状部４５１の一端付近が切り起こされて斜めに突出するように形成され、バネ取り付け部４４５に嵌る係止部４５２とを有する。バネ４５０は、さらに、コ字状部４５１の他端から延びて長手方向の少なくとも１箇所が屈曲するように形成され、第２穴１６０に引っ掛けられる第２凸部４５３を有する。第２凸部４５３は、弾性力によって一部が第２穴１６０に挿入された状態を保つことで、照明ユニット３００を枠体１００に固定する。
【００３７】
本実施の形態では、取り付け補助部材４３０の第１凸部４３４が立ち上がり部１２０の第１穴１５０に引っ掛かるとともに、バネ４５０の第２凸部４５３が立ち上がり部１２０の第２穴１６０に引っ掛かることで、照明ユニット３００が枠体１００に確実に固定される。なお、第２凸部４５３は、固定カバー４４０に取り付けられるバネ４５０に形成される代わりに、固定カバー４４０の一部として形成されてもよい。即ち、光源ユニット４００は、バネ４５０に限らず、任意の部材の一部として、第２穴１６０に引っ掛かる第２凸部４５３を有していればよい。
【００３８】
光透過性カバー４７０は、透光性を有する樹脂で形成された円形状の板材であり、外周部から一方の面に対して略垂直となるように突出する２つの爪部４７１を有する。光透過性カバー４７０は、開口部４４２の周囲に設けられた穴である固定部４９１に爪部４７１が嵌り込むことで、固定カバー４４０の開口部４４２を覆うように固定カバー４４０に取り付けられる。
【００３９】
絶縁シート４８０は、光源モジュール４１０と取り付け部材４２０との間に配置される。
【００４０】
電源ユニット５００は、電源収納ケース５１０と、電源回路部５２０と、金属プレート５３０と、電源端子台５４０と、ネジ５５０と、放熱フィン５６０とを備える。
【００４１】
電源収納ケース５１０は、取り付け部材４２０に取り付けられる有底の円筒形状のケースである。電源回路部５２０は、電源収納ケース５１０に収納され、光源モジュール４１０に電力を供給する。金属プレート５３０は、電源収納ケース５１０の開口部分を塞ぐように電源収納ケース５１０に取り付けられる。電源端子台５４０は、金属プレート５３０に取り付けられ、電源回路部５２０と電線を介して電気的に接続される。ネジ５５０は、金属プレート５３０を電源収納ケース５１０に締結する。放熱フィン５６０は、電源収納ケース５１０の外周部に取り付けられる。
【００４２】
＊＊＊組み立て手順の説明＊＊＊
本実施の形態に係る装置である照明装置９００の組み立て手順を説明する。
【００４３】
照明ユニット３００は、以下のように組み立てられる。
【００４４】
まず、取り付け部材４２０を電源収納ケース５１０にスポット溶接し、電源収納ケース５１０に電源回路部５２０を挿入する。電源回路部５２０が収納された電源収納ケース５１０の開口部分の周縁部に金属プレート５３０をネジ５５０で締結し、金属プレート５３０に電源端子台５４０を取り付ける。
【００４５】
次に、取り付け部材４２０に取り付け補助部材４３０を取り付け、取り付け補助部材４３０によってガイドされるように取り付け補助部材４３０に光源モジュール４１０を当てて、光源モジュール４１０を取り付け部材４２０の決められた位置に取り付ける。次に、バネ４５０を固定カバー４４０のバネ取り付け部４４５に取り付けた状態で、固定カバー４４０が光源モジュール４１０及び取り付け補助部材４３０に覆いかぶさるように、固定カバー４４０を取り付け部材４２０に取り付ける。固定カバー４４０をネジ４６０で締結し、光透過性カバー４７０を固定カバー４４０に取り付ける。
【００４６】
照明ユニット３００は、以下のように枠体１００に取り付けられる。
【００４７】
図１２に示すように、照明ユニット３００を水平にした状態で、枠体１００の立ち上がり部１２０に挿入していく。このとき、取り付け補助部材４３０の第１凸部４３４が立ち上がり部１２０の第１穴１５０に対して上方に位置し、バネ４５０の第２凸部４５３が立ち上がり部１２０の第２穴１６０に対して上方に位置するようにする。照明ユニット３００を押し下げると、第１凸部４３４及び第２凸部４５３が立ち上がり部１２０の内壁によって押圧され、弾性変形する。照明ユニット３００をさらに押し下げると、第１凸部４３４及び第２凸部４５３がそれぞれ第１穴１５０及び第２穴１６０に到達したところで弾性力を発揮して元の形状に戻り、それぞれ第１穴１５０及び第２穴１６０に嵌る。これにより、照明ユニット３００が枠体１００に固定される。
【００４８】
＊＊＊実施の形態の効果の説明＊＊＊
本実施の形態では、取り付け面４２５の光源モジュール４１０が固定された領域に隣接する位置に、光源モジュール４１０の位置決めのための取り付け補助部材４３０が設置される。このため、本実施の形態によれば、光源ユニット４００を組み立てやすくなる。
【００４９】
本実施の形態では、取り付け補助部材４３０の一部が固定カバー４４０の側面の切り欠き４４８から外側に露出しており、この露出した部分に、照明ユニット３００を枠体１００に固定する機構の少なくとも一部が設けられる。具体的には、取り付け補助部材４３０の外側に露出する部分に、枠体１００の第１穴１５０に引っ掛かる第１凸部４３４が設けられる。このため、本実施の形態によれば、単一の部材である取り付け補助部材４３０によって、取り付け面４２５における光源モジュール４１０の位置決めと、枠体１００への照明ユニット３００の固定との両方を行うことができる。
【００５０】
固定カバー４４０の側面には、取り付け補助部材４３０の外側に露出する部分に合わせて、切り欠き４４８が設けられる。このため、本実施の形態によれば、取り付け補助部材４３０によって、固定カバー４４０の位置決めも行うことができる。
【００５１】
本実施の形態では、スナップフィット構造を採用することによって、照明ユニット３００を枠体１００に対して上方から挿入する際に、第１凸部４３４及び第２凸部４５３をそれぞれ第１穴１５０及び第２穴１６０に略同時に嵌めることができる。このため、照明ユニット３００を枠体１００に取り付ける際の作業性が向上する。
【００５２】
取り付け部材４２０は、固定カバー４４０と別体になっているため、固定カバー４４０の材質と異なる材質とすることができる。具体的には、取り付け部材４２０の材質を弾性のある部材とすることができる。また、取り付け部材４２０をグレー、赤等、固定カバー４４０と異なる色にすることによって、第１凸部４３４を目立たせることができる。
【００５３】
固定カバー４４０は、照明ユニット３００におけるリフレクタの機能を兼ねており、光源モジュール４１０から照射される光、及び、光透過性カバー４７０を透過せずに内部に反射した光を反射させて光透過性カバー４７０の外側に出射させることができる。これにより、光の取り出し効率が高まる。固定カバー４４０の反射率を光源モジュール４１０の基板４１２の反射率以上とすると、特にＬＥＤ４１１が発する光を反射させて光透過性カバー４７０の外側に出射させやすくなるため、光の取り出し効率がより一層高まる。
【００５４】
＊＊＊他の構成＊＊＊
本実施の形態では、第１凸部４３４及び第２凸部４５３がそれぞれ第１穴１５０及び第２穴１６０に引っ掛かることで、照明ユニット３００が枠体１００に固定されるが、第１凸部４３４と第１穴１５０との位置関係、或いは、第２凸部４５３と第２穴１６０との位置関係が逆でもよい。即ち、第１凸部４３４が立ち上がり部１２０に設けられ、第１穴１５０が取り付け補助部材４３０に設けられてもよい。また、第２凸部４５３が立ち上がり部１２０に設けられ、第２穴１６０がバネ４５０又は固定カバー４４０等に設けられてもよい。
【００５５】
実施の形態２．
本実施の形態について、主に実施の形態１との差異を説明する。
【００５６】
図１３、図１４及び図１５に示すように、本実施の形態では、取り付け補助部材４３０が第１凸部４３４を有しておらず、取り付け部材４２０の突出部４２２が、第１凸部に相当する。即ち、本実施の形態では、実施の形態１における取り付け補助部材４３０の第１凸部４３４の代わりに、取り付け部材４２０の突出部４２２が、立ち上がり部１２０の第１穴１５０に引っ掛けられる。そのため、第１穴１５０は、高さ方向において取り付け部材４２０と同じ位置、即ち、実施の形態１に比べて高い位置に設けられている。
【００５７】
照明ユニット３００の組み立て手順については、実施の形態１のものと同じである。
【００５８】
照明ユニット３００は、以下のように枠体１００に取り付けられる。
【００５９】
図１６に示すように、照明ユニット３００を斜めにした状態で、取り付け部材４２０の突出部４２２を立ち上がり部１２０の第１穴１５０に挿入する。次に、突出部４２２を中心として照明ユニット３００が回転するように、照明ユニット３００を押し下げると、第２凸部４５３が立ち上がり部１２０の内壁によって押圧され、弾性変形する。照明ユニット３００をさらに押し下げると、第２凸部４５３が第２穴１６０に到達したところで弾性力を発揮して元の形状に戻り、第２穴１６０に嵌る。これにより、照明ユニット３００が枠体１００に固定される。
【００６０】
実施の形態３．
本実施の形態について、主に実施の形態１との差異を説明する。
【００６１】
図１７は、光透過性カバー４７０が固定カバー４４０に取り付けられる前の状態を示している。図１８は、光透過性カバー４７０が固定カバー４４０に取り付けられた後の状態を示している。なお、図１７及び図１８では、ハッチングを省略している。
【００６２】
実施の形態１と同じように、固定カバー４４０には、光源モジュール４１０からの光を通すための開口部４４２が設けられている。
【００６３】
本実施の形態において、固定カバー４４０は、光源モジュール４１０がある側と反対側に立ち上がるリブ４９２を有する。リブ４９２は、開口部４４２の周縁に沿って形成されている。具体的には、リブ４９２は、カバー本体部４４１から立ち上がり、円形状の開口部４４２の周縁に沿って環状に形成されている。即ち、リブ４９２は、開口部４４２の周縁の全周に亘って設けられている。
【００６４】
光透過性カバー４７０は、固定カバー４４０のリブ４９２に囲まれ固定カバー４４０の開口部４４２を覆っている状態で固定カバー４４０に固定されている。光透過性カバー４７０が固定カバー４４０のリブ４９２に囲まれている状態とは、光透過性カバー４７０の外周面が固定カバー４４０から露出していない状態のことである。光透過性カバー４７０の外周面が露出していなければ、ユーザが光透過性カバー４７０の外周面を掴んで光透過性カバー４７０を取り外すことはできない。したがって、本実施の形態によれば、光透過性カバー４７０を取り外しにくくすることができる。
【００６５】
固定カバー４４０のリブ４９２の内周壁の高さ寸法Ｈ１と、光透過性カバー４７０の外周壁の高さ寸法Ｈ２は、Ｈ１＞Ｈ２という関係である。即ち、リブ４９２の内周壁は、光透過性カバー４７０の外周壁よりも高さ寸法が大きい。したがって、本実施の形態によれば、リブ４９２が光透過性カバー４７０の外周面を確実に隠すことができる。なお、リブ４９２の内周壁と光透過性カバー４７０の外周壁との間にユーザが指を入れられないようにするため、リブ４９２の内周壁と光透過性カバー４７０の外周壁との隙間の幅は、１センチメートル以下であることが望ましい。
【００６６】
実施の形態１と同じように、固定カバー４４０の開口部４４２の周囲には、複数の固定部４９１が形成されている。それぞれの固定部４９１は、穴である。光透過性カバー４７０は、複数の爪部４７１を有し、これら複数の爪部４７１が固定カバー４４０の複数の固定部４９１に引っ掛けられることで固定カバー４４０に固定されている。爪部４７１及び固定部４９１の数は、それぞれ２つである。２つの爪部４７１は、光透過性カバー４７０の中心を挟んで互いに対向する位置に設けられている。具体的には、２つの爪部４７１は、光透過性カバー４７０の中心から互いに逆方向に等距離離れた位置に設けられている。２つの固定部４９１は、固定カバー４４０の開口部４４２の中心を挟んで互いに対向する位置に設けられている。具体的には、２つの固定部４９１は、開口部４４２の中心から互いに逆方向に等距離離れた位置に設けられている。なお、爪部４７１及び固定部４９１の数は、同数であれば、それぞれ３つ以上でもよい。３つ以上の爪部４７１は、同一円周上で等間隔に配置されることが望ましい。３つ以上の固定部４９１も、同一円周上で等間隔に配置されることが望ましい。
【００６７】
本実施の形態では、光透過性カバー４７０が、２つの爪部４７１とは逆方向に突出するリブ４７２を有する。リブ４７２は、光透過性カバー４７０の外周に沿って形成されている。具体的には、リブ４７２は、円板状の光透過性カバー４７０から立ち上がり、光透過性カバー４７０の外周に沿って環状に形成されている。即ち、リブ４７２は、光透過性カバー４７０の外周の全周に亘って設けられている。
【００６８】
光透過性カバー４７０のリブ４７２の立ち上がりの先端４７３は、固定カバー４４０のリブ４９２の立ち上がりの先端４９３よりも低い位置にある。即ち、光透過性カバー４７０のリブ４７２は、固定カバー４４０のリブ４９２の立ち上がりの先端４９３よりも低い位置まで立ち上がっている。このため、リブ４７２の外周壁を含む光透過性カバー４７０の外周壁の高さ寸法Ｈ２を、固定カバー４４０のリブ４９２の内周壁の高さ寸法Ｈ１よりも小さく抑えることができる。
【００６９】
このように、本実施の形態では、光透過性カバー４７０が固定カバー４４０のカバー本体部４４１に取り付けられた後、ユーザは、固定カバー４４０のリブ４９２に指が当たるので、工具等がなければ光透過性カバー４７０を取り外すことができなくなる。よって、ユーザが光透過性カバー４７０を取り外すことを防止でき、内部に設けられる電子部品をユーザが直接触れないようにすることができる。
【００７０】
また、本実施の形態では、照明ユニット３００が机上等に置かれる際には、固定カバー４４０のリブ４９２が机上面等に接し、光透過性カバー４７０が机上面等に接して傷付くことを防止する。
【００７１】
実施の形態４．
本実施の形態について、主に実施の形態１との差異を説明する。
【００７２】
図１９及び図２０を参照して、固定カバー４４０及び光透過性カバー４７０の構成を説明する。
【００７３】
実施の形態１と同じように、固定カバー４４０には、光源モジュール４１０からの光を通すための開口部４４２が設けられている。光透過性カバー４７０は、固定カバー４４０の開口部４４２を覆っている状態で固定カバー４４０に固定される。
【００７４】
本実施の形態において、光透過性カバー４７０は、少なくとも１つの凸部４７４と、別の少なくとも１つの凸部４７５とを有する。凸部４７４，４７５の数は、それぞれ任意の数でよく、同数でなくてもよいが、本実施の形態ではそれぞれ２つである。
【００７５】
固定カバー４４０の開口部４４２の周囲には、固定部４９１と、少なくとも１つの凹部４９４と、別の固定部４９１と、別の少なくとも１つの凹部４９５とが開口部４４２の周縁に沿って順番に設けられている。具体的には、円形状の開口部４４２の周縁に沿って、開口部４４２の中心に対して０度の位置に固定部４９１、４５度から１３５度の範囲内に少なくとも１つの凹部４９４、１８０度の位置に別の固定部４９１、２２５度から３１５度の範囲内に少なくとも１つの凹部４９５が設けられている。
【００７６】
固定部４９１では、光透過性カバー４７０が固定されている。実施の形態１と同じように、固定部４９１は、穴である。光透過性カバー４７０は、この固定部４９１に引っ掛けられる爪部４７１を有する。
【００７７】
別の固定部４９１でも、光透過性カバー４７０が固定されている。実施の形態１と同じように、別の固定部４９１も、穴である。光透過性カバー４７０は、この別の固定部４９１に引っ掛けられる別の爪部４７１を有する。
【００７８】
凹部４９４の数は、光透過性カバー４７０の凸部４７４の数と同じであり、本実施の形態では２つである。２つの凹部４９４には、光透過性カバー４７０の２つの凸部４７４が嵌っている。本実施の形態では、凸部４７４が円柱状のボスであり、凹部４９４が丸穴であるが、凸部４７４が凹部４９４に嵌ることができれば、凸部４７４及び凹部４９４の形状は適宜変更可能である。具体例として、凸部４７４は多角柱状でもよい。凹部４９４は多角形の穴でもよい。
【００７９】
凹部４９４と同様に、凹部４９５の数は、光透過性カバー４７０の凸部４７５の数と同じであり、本実施の形態では２つである。２つの凹部４９５には、光透過性カバー４７０の２つの凸部４７５が嵌っている。凸部４７５及び凹部４９５の形状については、凸部４７４及び凹部４９４の形状と同様である。
【００８０】
本実施の形態において、光透過性カバー４７０の２つの爪部４７１は、光透過性カバー４７０の中心を挟んで互いに対向する位置に設けられている。具体的には、２つの爪部４７１は、光透過性カバー４７０の中心から互いに逆方向に等距離離れた位置に設けられている。そして、２つの爪部４７１を通る円周上において、２つの凸部４７４が、２つの爪部４７１を結ぶ直線の片側に位置するように設けられ、別の２つの凸部４７５が、２つの爪部４７１を結ぶ直線の別の片側に位置するように設けられている。
【００８１】
固定カバー４４０の構成は、光透過性カバー４７０の構成に対応している。即ち、本実施の形態において、固定カバー４４０の２つの固定部４９１は、開口部４４２の中心を挟んで互いに対向する位置に設けられている。具体的には、２つの固定部４９１は、開口部４４２の中心から互いに逆方向に等距離離れた位置に設けられている。そして、２つの固定部４９１を通る円周上において、２つの凹部４９４が、２つの固定部４９１を結ぶ直線の片側に位置するように設けられ、別の２つの凹部４９５が、２つの固定部４９１を結ぶ直線の別の片側に位置するように設けられている。
【００８２】
なお、爪部４７１及び固定部４９１の数は、同数であれば、それぞれ３つ以上でもよい。３つ以上の爪部４７１は、同一円周上で等間隔に配置されることが望ましい。３つ以上の固定部４９１も、同一円周上で等間隔に配置されることが望ましい。３つ以上の爪部４７１を通る円周上において、隣接する各２つの爪部４７１の間には、凸部が少なくとも１つずつ設けられることが望ましい。３つ以上の固定部４９１を通る円周上において、隣接する各２つの固定部４９１の間には、対応する凸部が嵌る凹部が少なくとも１つずつ設けられることが望ましい。
【００８３】
図２１及び図２２を参照して、実施の形態３で光透過性カバー４７０にリブ４７２を設けることにより得られる効果、及び、実施の形態４で光透過性カバー４７０に凸部４７４，４７５を設けることにより得られる効果を説明する。
【００８４】
図２１の（ａ）、（ｂ）及び（ｃ）は、光透過性カバー４７０が固定カバー４４０に固定されている状態における、光透過性カバー４７０に対するインパクトハンマー試験のシミュレーション結果を示している。光透過性カバー４７０の爪部４７１が設けられた面において、矢印が描かれている領域は、反対面の中心に衝撃が加えられたときに作用する応力が大きい領域である。矢印の先の領域は、反対面の中心に衝撃が加えられたときに作用する応力が小さい領域である。
【００８５】
図２１の（ａ）に示すように、光透過性カバー４７０にリブ４７２も凸部４７４，４７５も設けられていない場合、固定カバー４４０の２つの固定部４９１に引っ掛かっている２つの爪部４７１を結ぶ直線に対して垂直方向に応力がかかる。そのため、光透過性カバー４７０が割れやすい。
【００８６】
図２１の（ｂ）に示すように、光透過性カバー４７０にリブ４７２が設けられている場合、固定カバー４４０の２つの固定部４９１に引っ掛かっている２つの爪部４７１を結ぶ直線に対して垂直方向にかかる応力が低減される。そのため、光透過性カバー４７０が割れにくくなる。即ち、光透過性カバー４７０の耐衝撃性が高まる。
【００８７】
図２１の（ｃ）に示すように、光透過性カバー４７０に凸部４７４，４７５が設けられている場合、２つの爪部４７１が固定カバー４４０の２つの固定部４９１に引っ掛かっているだけでなく、２つの凸部４７４と別の２つの凸部４７５とが２つの凹部４９４と別の２つの凹部４９５とに嵌っている。その中心部分から放射状に力が分散され、光透過性カバー４７０が割れにくくなる。即ち、光透過性カバー４７０の耐衝撃性が高まる。なお、光透過性カバー４７０の凸部４７５、及び、固定カバー４４０の凹部４９５が設けられず、光透過性カバー４７０に凸部４７４、及び、固定カバー４４０の凹部４９４のみが設けられている場合でも、一定の効果が得られる。
【００８８】
光透過性カバー４７０にリブ４７２と凸部４７４，４７５との両方が設けられていてもよい。即ち、実施の形態４において、光透過性カバー４７０は、光透過性カバー４７０の外周に沿って形成され、少なくとも１つの凸部４７４と反対側に立ち上がるリブ４７２を有していてもよい。その場合、より一層高い効果が得られる。
【００８９】
図２２は、光透過性カバー４７０の中央部分の凹み量と、リブ４７２の高さと、ボスである凸部４７４，４７５の有無との関係を纏めたものである。この図によれば、凸部４７４，４７５がない場合、光透過性カバー４７０の中央部分の凹み量を抑制するためには、リブ４７２の高さを高くする必要があるが、凸部４７４，４７５がある場合、リブ４７２の高さによらず、光透過性カバー４７０の中央部分の凹み量を抑制できることが分かる。
【００９０】
以上、本発明の実施の形態について説明したが、これらの実施の形態のうち、いくつかを組み合わせて実施しても構わない。或いは、これらの実施の形態のうち、いずれか１つ又はいくつかを部分的に実施しても構わない。具体的には、これらの実施の形態の説明において「部」として説明するもののうち、いずれか１つのみを採用してもよいし、いくつかの任意の組み合わせを採用してもよい。なお、本発明は、これらの実施の形態に限定されるものではなく、必要に応じて種々の変更が可能である。
【符号の説明】
【００９１】
１００  枠体、１１０  ツバ部、１２０  立ち上がり部、１３０  枠部、１４０  取り付けバネ保持部、１５０  第１穴、１６０  第２穴、１７０  傾斜部、１７１  開口部、１８０  傾斜面、２００  取り付けバネ、３００  照明ユニット、４００  光源ユニット、４１０  光源モジュール、４１１  ＬＥＤ、４１２  基板、４２０  取り付け部材、４２１  光源取り付け部、４２２  突出部、４２３  ネジ穴、４２４  穴、４２５  取り付け面、４３０  取り付け補助部材、４３１  取り付け凸部、４３２  固定凸部、４３３  案内面、４３４  第１凸部、４３５  弾性部、４３６  係止凸部、４４０  固定カバー、４４１  カバー本体部、４４２  開口部、４４３  内壁部、４４４  外壁部、４４５  バネ取り付け部、４４６  対向面、４４７  溝、４４８  切り欠き、４４９  凸部、４５０  バネ、４５１  コ字状部、４５２  係止部、４５３  第２凸部、４６０  ネジ、４７０  光透過性カバー、４７１  爪部、４７２  リブ、４７３  先端、４７４  凸部、４７５  凸部、４８０  絶縁シート、４９１  固定部、４９２  リブ、４９３  先端、４９４  凹部、４９５  凹部、５００  電源ユニット、５１０  電源収納ケース、５２０  電源回路部、５３０  金属プレート、５４０  電源端子台、５５０  ネジ、５６０  放熱フィン、９００  照明装置。
【図１】
2017076495.tif 000003
【図２】
2017076495.tif 000004
【図３】
2017076495.tif 000005
【図４】
2017076495.tif 000006
【図５】
2017076495.tif 000007
【図６】
2017076495.tif 000008
【図７】
2017076495.tif 000009
【図８】
2017076495.tif 000010
【図９】
2017076495.tif 000011
【図１０】
2017076495.tif 000012
【図１１】
2017076495.tif 000013
【図１２】
2017076495.tif 000014
【図１３】
2017076495.tif 000015
【図１４】
2017076495.tif 000016
【図１５】
2017076495.tif 000017
【図１６】
2017076495.tif 000018
【図１７】
2017076495.tif 000019
【図１８】
2017076495.tif 000020
【図１９】
2017076495.tif 000021
【図２０】
2017076495.tif 000022
【図２１】
2017076495.tif 000023
【図２２】
2017076495.tif 000024
【手続補正書】
【提出日】平成28年12月29日(2016.12.29)
【手続補正１】
【補正対象書類名】特許請求の範囲
【補正対象項目名】全文
【補正方法】変更
【補正の内容】
【特許請求の範囲】
【請求項１】
光を照射する光源モジュールと、
前記光源モジュールがある側と反対側に立ち上がるリブを有するとともに、前記光源モジュールからの光を通すための開口部が設けられ、前記リブが前記開口部の周縁に沿って形成された固定カバーと、
前記リブに囲まれ前記開口部を覆っている状態で前記固定カバーに固定された光透過性カバーと
を備え、
前記光透過性カバーの外周壁は、前記リブの立ち上がりの先端よりも低い位置に収められている光源ユニット。
【請求項２】
前記リブの内周壁は、前記光透過性カバーの外周壁よりも高さ寸法が大きい請求項１に記載の光源ユニット。
【請求項３】
前記光透過性カバーは、前記光透過性カバーの外周に沿って形成され、前記リブの立ち上がりの先端よりも低い位置まで立ち上がる他のリブを有する請求項１又は２に記載の光源ユニット。
【請求項４】
光を照射する光源モジュールと、
前記光源モジュールがある側と反対側に立ち上がるリブを有するとともに、前記光源モジュールからの光を通すための開口部が設けられ、前記リブが前記開口部の周縁に沿って形成された固定カバーと、
前記リブに囲まれ前記開口部を覆っている状態で前記固定カバーに固定された光透過性カバーと
を備え、
前記光透過性カバーは、前記光透過性カバーの外周に沿って形成され、前記リブの立ち上がりの先端よりも低い位置まで立ち上がる他のリブを有する光源ユニット。
【請求項５】
前記固定カバーの前記開口部の周囲には、複数の穴が設けられ、
前記光透過性カバーは、複数の爪部を有し、前記複数の爪部が前記複数の穴に引っ掛けられることで前記固定カバーに固定されている請求項３又は４に記載の光源ユニット。
【請求項６】
前記複数の爪部は、前記光透過性カバーの中心を挟んで互いに対向する位置に設けられている請求項５に記載の光源ユニット。
【請求項７】
請求項１から６のいずれか１項に記載の光源ユニットと、
前記光源モジュールに電力を供給する電源ユニットと
を備える照明装置。